(57)【要約】      （修正有）【課題】キャスター付き家具、特に移動が頻繁なキャスター付き病院家具等において、家具の移動に支障がなく簡単に移動ができ、かつ、簡単な構造で保守が容易であるキャスター付き家具の免震装置を提供する。【解決手段】キャスター２より外側に滑り機能を有するボール３２１を嵌め込んだ滑走部材を設け、滑り部材の最下部位は、通常時にはロックされたキャスター２により床Ｆより若干高い位置に浮いた状態に配置され、大きな地震時にはボール３２１を嵌め込んだ滑走部材が床Ｆに接し、床Ｆを滑るようにして免震する。【選択図】図４
2015077261.tif 000002
【特許請求の範囲】
【請求項１】
キャスター付き家具において、家具の底部にはキャスターが設けられる位置より外側に滑る機能を有する滑走部材を設け、該滑り部材の最下部位は、通常時にはキャスターの最下部位が接する床より若干高い位置に浮いた状態に配置され、大きな揺れの場合には家具の前記滑走部材が床に接し、床を滑るように移動して免震することを特徴とするキャスター付き家具の免震装置。
【請求項２】
前記滑走部材は、ボールベアリングであることを特徴とする請求項１に記載のキャスター付き家具の免震装置。
【請求項３】
前記滑走部材は、自己潤滑性のあるポリアセタールコーポリマー樹脂で制作されたことを特徴とする請求項１に記載のキャスター付き家具の免震装置。
【請求項４】
前記キャスターは双輪キャスターであって、前記家具の底部の四隅に設けられ、前記双輪キャスターのロック及びロック解除操作を一括して同時に行う操作部を設け、通常はキャスターをロックしておくことを特徴とする請求項１又は２又は３に記載のキャスター付き家具の免震装置。
【発明の詳細な説明】
【技術分野】
【０００１】
本発明は、地震等の揺れに対して、家具の免震装置、特に、キャスター付き家具の免震装置に関するものである。
【背景技術】
【０００２】
従来より、地震時に振動に対して家具やショウケース等を倒れないようにする防振装置や、家具の振動を逃がして軽減する免震装置が知られている。
家具、特に病院家具のキャスター付きオーバーベッドテーブルや床頭台やロッカーの防振対策としては、家具の底部の四隅に設けられたキャスターのロック及びロック解除操作を一括して同時に行う操作部を設けて、床に固定する装置が知られている。
また、キャスター付き家具の免震装置としては、特許文献１としてキャスターと家具の底面部との間にコイルバネを介在させて、家具への振動を緩和される装置が知られている。
また、特許文献２には、家具のキャスターと床との間に定位置保留手段を設け、一定以上の振動があると、キャスターが定位置保留手段から脱離するようにした免震装置が知られている。
更に、特許文献３には、家具及びキャスターの近傍にゴム部材の補助支持機構を設けて、振動を吸収するようにしたキャスター付き家具の免震装置が知られている。
【先行技術文献】
【特許文献】
【０００３】
【特許文献１】特開平８−２２６４９０号公報
【特許文献２】特開平１１−１４１６０７号公報
【特許文献３】特開平９−１３１２３４号公報
【発明の概要】
【発明が解決しようとする課題】
【０００４】
ところで、従来のキャスターをロックする家具は、小さな揺れの地震では移動せず防振対策として有効であるが、特に、背の高い家具では、巨大地震での大きな揺れとなると家具が転倒して周りにいる人が怪我等をする危険性がある。このため、巨大地震のような所定以上の震度の揺れが有る場合は、振動を逃して家具を移動させ、免震する免震装置が必要となる。
この免震装置として、キャスターと家具の底面部との間にコイルバネを介在させる特許文献１の免震装置は、小さな振動でも家具は揺れるという不都合があり、また、家具のキャスターと床との間に定位置保留手段を設け、一定以上の振動があると、キャスターが定位置保留手段から脱離するようにした特許文献２の免震装置は、定位置保留手段を配置することが厄介であり、更に、家具及びキャスターの近傍にゴム部材の補助支持機構を設けて、振動を吸収するようにした特許文献３の免震装置も、補助支持機構を設置することが厄介であり、例えば、病院家具のキャスター付きオーバーベッドテーブルや床頭台やロッカーは、移動が頻繁であるので、その都度、キャスターが定位置保留手段やゴム部材の補助支持機構を配置することは厄介であるという問題点があった。
【０００５】
本発明の課題は、キャスター付き家具、特に移動が頻繁なキャスター付き病院家具等において、家具の移動に支障がなく簡単に移動ができ、かつ、簡単の構成で保守が容易であるキャスター付き家具の免震装置を提供しようとするものである。
【課題を解決するための手段】
【０００６】
上記課題を解決するために、請求項１の発明は、キャスター付き家具において、家具の底部にはキャスターが設けられる位置より外側に滑る機能を有する滑走部材を設け、該滑り部材の最下部位は、通常時にはキャスターの最下部位が接する床より若干高い位置に浮いた状態に配置され、大きな揺れの場合には家具の前記滑走部材が床に接し、床を滑るように移動して免震することを特徴とする。
請求項２の発明は、請求項１に記載のキャスター付き家具の免震装置において、前記滑走部材は、ボールベアリングであることを特徴とする。
請求項３の発明は、請求項１に記載のキャスター付き家具の免震装置において、前記滑走部材は、自己潤滑性のあるポリアセタールコーポリマー樹脂で制作されたことを特徴とする。
請求項４の発明は、請求項１又は２又は３に記載のキャスター付き家具の免震装置であって、前記キャスターは、双輪キャスターであって、前記家具の底部の四隅に設けられ、前記双輪キャスターのロック及びロック解除操作を一括して同時に行う操作部を設け、通常はキャスターをロックしておくことを特徴とする。
【発明の効果】
【０００７】
本発明のキャスター付き家具の免震装置によれば、家具の移動に支障がなく簡単に移動ができ、かつ、簡単な構造で保守が容易であり、特に、移動が頻繁なキャスター付き病院家具である床頭台、オーバーベッドテーブル、ベッドサイドテーブル、ロッカー等においては有効であり、特に、健常者や病人等にとっては勿論のこと、健常者にとって家具の転倒を防げるので、怪我等をする危険性を減少させることができる。
【図面の簡単な説明】
【０００８】
【図１】本発明の実施例１のキャスター付きロッカーに免震装置を用いた外観斜視図、
【図２】図１の右側面図
【図３】図１の底面図、
【図４】図４(ａ)は通常状態での図１のＡ部分のＺ−Ｚ線での拡大断面図、図４(ｂ)は大きな揺れでの状態で図１のＡ部分のＺ−Ｚ線での拡大断面図、
【図５】従来のキャスター付きロッカーの大きな揺れでの拡大断面図、
【図６】本発明の実施例２のキャスター付きロッカーに免震装置を用いた外観斜視図、
【図７】図６の右側面図
【図８】図６の底面図、
【図９】通常状態での図６のＡ部分のＺ−Ｚ線での拡大断面図である。
【発明を実施するための形態】
【０００９】
本発明は、ロック／ロック解除操作を行うキャスター付き家具、例えば、床頭台、オーバーベッドテーブル、ベッドサイドテーブル、ロッカー等において、キャスターをロック状態した場合でも、強い地震があった場合に家具の転倒を防ぐ免震装置である。以下に、本発明の実施例を図面に沿って説明する。
【実施例１】
【００１０】
図１から図３は、本発明のキャスター付き家具の免震装置をロッカーに採用した実施例１であり、図４（a）(b)は、図１のＡ部分の拡大断面図である。
図１はロッカー１の斜視図、図２はその右側面図であるが、前面部１１には扉１１１が設けられ、図３の底面図に示すように、底面部１２には、４隅の近傍には双輪キャスター２が設けられ、この４個の双輪キャスター(単輪キャスターでも可)２は、同軸の操作ワイヤー２１が接続され、この４本の操作ワイヤー２１は分配器２２を介して操作部及び操作レバー(図示せず)に接続されている。操作レバーを操作することによって、双輪キャスター２のロック及びロック解除操作を一括して同時に行うようになっている。なお、操作部及び操作レバーは図示していないが、ロッカー１の適所に設けてあり、本実施例では扉１１１を開けたロッカー内の操作しやすい箇所に配置されている。
なお、本発明での「キャスター」の意味するところは、ロッカー等の家具において、底部の縁部分より多少内側に位置し、家具を多少浮かして支持するキャスターやこれに類する固定支持部材(例えば、４隅に設けてネジで高さを調整の支持部材、或いは厚手の硬質ゴムブロック)を意味する。
また、「家具」の意味するところは、通常の家具のほか、床頭台、オーバーベッドテーブル、ベッドサイドテーブル等の病院家具も含むものである。
【００１１】
図３に示すように、実施例１の免震装置３は滑走部材３１であるが、双輪キャスター２の接地点よりも、底面部１２の中心点(或いは重心)oからみて外側の４隅に更に距離ｘ１だけ離して、滑り機能を有する滑走部材３１を設けるが、この滑走部材３１は、本実施例１において、大きな回動自在なボール３２１を嵌め込んだボールベアリング３２を用いている。
この免震装置３の詳細を図４(ａ)(ｂ)に図１のＺ−Ｚ線での拡大断面図に示して説明する。このボールベアリング３２の構造は、図４(ａ)に示すように、ボール３２１を枠体３２２に回転自在に嵌め込まれて、ボール３２１が接地すると滑走する構成である。このボールベアリング３２はボール３２１の径を選択することによってどんな床面に対しても確実に滑走することができる。
図４(ａ)は、通常状態での前面部の拡大断面図であるが、図示されているように、滑走部材３１のボールベアリング３２の最下部位ｙ１は、通常時にはロックされた双輪キャスター２の最下部位が接する床Ｆより若干高い位置ｈ1に浮いた状態に配置されている。
【００１２】
ここで、先ず免震装置がない従来例、すなわち、滑走部材３１が無い場合を図５を用いて説明すると、通常、双輪キャスター２や固定支持部材はロックされ防振装置を構成している。この場合、小さな揺れ(例えば、震度５以下の小さな地震）では防振作用を有するので移動しないが、例えば、巨大地震の大きな揺れ(例えば、震度６以上）となるとロッカー１は角度α以上傾いてもロックされた双輪キャスター２は移動せず、また、ロッカー１の底面部１２の前面側の最下部位ｙ３も移動しないので、このような巨大地震の震動がる場合、特に背の高い家具では下端部１２１を中心に前方に転倒してしまうことがある。
なお、大きな地震の揺れる方向はまちまちで、この説明ではロッカー１の前面と背面方向の揺れで説明したが、左右の側面方向の揺れであれば、左右のどちらかに転倒することになり、ロッカー１(家具)の高さや形状によっても揺れ方向が異なるが、いずれにしても、ロッカー１(家具)の底面部１２が固定状態にあるので、底面部１２を中心にして揺れの大きな方向に転倒する危険性が大きくなる。
【００１３】
次に本願発明の実施例１での作動を図４(ｂ)に基づいて説明する。
ロッカー１(家具)が図４(ａ)の状態にある場合に、小さな地震の揺れ（例えば、震度５以下の小さな地震）では、図５の場合と同様に、双輪キャスター２はロックされ防振装置を構成しているので、防振作用もより、ロッカー１は揺れるだけで移動もしない。しかし、想定外の巨大地震の大きなとなると(例えば、震度６以上）、図４(ｂ)のように、ロッカー１は角度α以上傾くと、前面部１１の下端部１２１に設けた滑走部材３１のボールベアリング３２の最下部位ｙ１が床Ｆに接地し、このボールベアリングは滑走し易いので、図４(ｂ)の矢印に示すように、揺れ方向に滑走し移動することになる。すなわち、所定以上の大きな震度での揺れでは、ロッカー１(家具)は転倒せずに前後左右の重心の移動方向に移動することになり、その結果で免震作用を有するものである。
【００１４】
なお、前記の角度αは、図３、図４からタンジェントＴＡＮα＝ｈ1／ｘ1で表されるが、本実施例の角度αでは３度から１０度とし、実際には５度としたが、余り小さい角度αだとロッカー(家具)が小さな揺れでも移動してしまい、余り大きい角度αだと移動する前に転倒してしまうからであり、５度前後が適当である。
ロッカー１は振動方向に移動はするが、転倒を免れることにより、ロッカー１(家具)の周囲にいる人にとって重大な怪我の危険性を減少させることができ、特に、病院家具の床頭台、オーバーベッドテーブル、ベッドサイドテーブル、ロッカー等に採用すれば、健常者や病人等にとっては勿論のこと、健常者にとって家具の転倒を防げるので、怪我等をする危険性を減少させることができる。
【実施例２】
【００１５】
図６から図８は、本発明のキャスター付き家具の免震装置をロッカーに採用した実施例２であるが、実施例１との違いは、滑走部材３１がボールベアリング３２ではなく、自己潤滑性のあるポリアセタールコポリマー樹脂で制作され、可動部が無いコーナー固定部材３３であることである。他の構成は、実施例１と同じであるので、詳細な説明は省略する。
このコーナー固定部材３３に使用されるポリアセタールコポリマー樹脂は、所謂ジュラコンと呼ばれるもので、自己潤滑性があり、軸受けなどに使用されているので、摩擦係数が低い素材である。
実施例２においても、滑走部材３１のコーナー固定部材３３の最下部位ｙ２は、キャスター２よりも外側にｘ２だけ離れて、かつ、通常時にはロックされた双輪キャスター２により床Ｆより若干高い位置ｈ2に浮いた状態に配置されている。なお、実施例２での角度αは図９からタンジェントＴＡＮα＝ｈ2／ｘ2である。
したがって、実施例２の作動も実施例１と同じであるが、構造は実施例１のボールベアリング３２とは異なり、可動部がないので、構成が簡単で、保守も簡単となる利点がある。
【００１６】
これら各実施例は以上の説明したような構成であるので、家具、特に、背の高い通常の家具や、また、床頭台、オーバーベッドテーブル、ベッドサイドテーブル、ロッカー等の病院家具において、キャスターの可動には支障がなく簡単に家具を移動ができ、かつ、簡単の構成で保守が容易であり、特に、移動が頻繁なキャスター付き病院家具においては極めて有効であり、健常者や病人等にとって家具の転倒を防げるので、怪我等をする危険性を減少させることができる。
なお、本発明の特徴を損なうものでなければ、上記の実施例に限定されるものでないことは勿論である。例えば、キャスターは双輪キャスター以外の単輪キャスターを用いた家具に用もよく、また、キャスターでなくても、家具底部の縁部分より多少内側に位置し、家具を多少浮かして支持するキャスターに類する固定支持部材、例えば、４隅に設けてネジで高さを調整の支持部材、或いは厚手の硬質ゴムブロック等でもよいことは勿論である。
【符号の説明】
【００１７】
Ｆ・・床、ｙ１・・ボールベアリングの最下部位、
ｙ２・・コーナー固定部材３３の最下部位、ｙ３・・従来の底面部の最下部位、
１・・ロッカー、１１・・前面部、１１１・・扉、１２・・底面部、
１２１・・下端部、
２・・双輪キャスター、２１・・操作ワイヤー、２２・・分配器、
３・・免震装置、３１・・滑走部材、３２・・ボールベアリング、
３２１・・ボール、３２２・・枠体、
３３・・コーナー固定部材
【図１】
2015077261.tif 000003
【図２】
2015077261.tif 000004
【図３】
2015077261.tif 000005
【図４】
2015077261.tif 000006
【図５】
2015077261.tif 000007
【図６】
2015077261.tif 000008
【図７】
2015077261.tif 000009
【図８】
2015077261.tif 000010
【図９】
2015077261.tif 000011